(57)【特許請求の範囲】
【請求項１】
グローブ本体（５）の甲部（５ｂ）を覆う甲部プロテクタ（８）を有するスポーツ用手袋において、
前記甲部プロテクタ（８）は、その甲部プロテクタ（８）とは別々に形成されて前記グローブ本体（５）の甲部（５ｂ）と該甲部プロテクタ（８）との間に配置された一対の弾性支持部材（１３）を介して、前記グローブ本体（５）にフローティング支持され、
その各々の弾性支持部材（１３）は、それの一端が前記甲部プロテクタ（８）に連結されると共に他端が前記グローブ本体（５）に縫着され、
前記グローブ本体（５）に設けられた複数の指部（５ｃ〜５ｇ）を覆う複数の指部プロテクタ（１８〜２２）が、その各々の指部プロテクタ（１８〜２２）の長さを調節可能とするとともに調節された長さを維持可能として構成されることを特徴とするスポーツ用手袋。
【請求項２】
前記甲部プロテクタ（８）に一端が取付けられる前記弾性支持部材（１３）の他端が、前記グローブ本体（５）の甲部（５ｂ）および前記甲部プロテクタ（８）間に隙間（１４）をあけることを可能として前記グローブ本体（５）に取付けられ、前記グローブ本体（５）の甲部（５ｂ）において前記甲部プロテクタ（８）で覆われる部分には、前記隙間（１４）に通じる複数の通気孔（１５）が設けられることを特徴とする請求項１記載のスポーツ用手袋。
【請求項３】
前記一対の弾性支持部材（１３）の前記他端は、前記グローブ本体（５）の甲部（５ｂ）の両側にそれぞれ縫着されることを特徴とする請求項１または２記載のスポーツ用手袋。
【請求項４】
一方の前記弾性支持部材（１３）にサイドプロテクタ（１６）が取付けられることを特徴とする請求項１〜３の何れかに記載のスポーツ用手袋。
【請求項５】
親指以外の指に対応した前記指部プロテクタ（１９〜２２）は、根元側プロテクタ（２４）と先端側プロテクタ（２３）とを備えていて、その先端側プロテクタ（２３）が、前記グローブ本体（５）の前記指部（５ｄ〜５ｇ）の先端側を覆ってその指部（５ｄ〜５ｇ）に縫着され、前記根元側プロテクタ（２４）は、それの一端が前記グローブ本体（５）の前記指部（５ｄ〜５ｇ）に縫着されると共に他端が前記甲部プロテクタ（８）に連結され、前記根元側プロテクタ（２４）と前記先端側プロテクタ（２３）との間が、その相互間の接続位置を調節可能なファスナ（２８）で接続されることを特徴とする請求項１〜４の何れかに記載のスポーツ用手袋。
【請求項６】
前記指部プロテクタ（１８〜２２）の長さ調節により、前記グローブ本体（５）の指部（５ｃ〜５ｇ）の長さが調整可能であることを特徴とする請求項１〜５の何れかに記載のスポーツ用手袋。
【発明の詳細な説明】
【技術分野】
【０００１】
本発明は、スポーツ用手袋に関し、特に、グローブ本体の甲部を覆う甲部プロテクタを有するスポーツ用手袋の改良に関する。
【背景技術】
【０００２】
このようなスポーツ用手袋は、たとえば特許文献１で既に知られており、このものでは甲部プロテクタがグローブ本体の甲部に縫着されている。
【特許文献１】特開平９−２６２３３２号公報
【発明の開示】
【発明が解決しようとする課題】
【０００３】
ところが、上記特許文献１で開示されるものでは、硬質材料から成る甲部プロテクタが使用者の手の甲に接触感を与えてしまう。
【０００４】
本発明は、かかる事情に鑑みてなされたものであり、甲部プロテクタの接触感を軽減し得るようにしたスポーツ用手袋を提供することを目的とする。
【課題を解決するための手段】
【０００５】
上記目的を達成するために、請求項１記載の発明は、グローブ本体の甲部を覆う甲部プロテクタを有するスポーツ用手袋において、前記甲部プロテクタは、その甲部プロテクタとは別々に形成されて前記グローブ本体の甲部と該甲部プロテクタとの間に配置された一対の弾性支持部材を介して、前記グローブ本体にフローティング支持され、その各々の弾性支持部材は、それの一端が前記甲部プロテクタに連結されると共に他端が前記グローブ本体に縫着され、前記グローブ本体に設けられた複数の指部を覆う複数の指部プロテクタが、その各々の指部プロテクタの長さを調節可能とするとともに調節された長さを維持可能として構成されることを特徴とする。
【０００６】
また請求項２記載の発明は、請求項１記載の発明の構成に加えて、前記甲部プロテクタに一端が取付けられる前記弾性支持部材の他端が、前記グローブ本体の甲部および前記甲部プロテクタ間に隙間をあけることを可能として前記グローブ本体に取付けられ、前記グローブ本体の甲部において前記甲部プロテクタで覆われる部分には、前記隙間に通じる複数の通気孔が設けられることを特徴とする。
【０００７】
さらに請求項３記載の発明は、請求項１または２記載の発明の構成に加えて、前記一対の弾性支持部材の前記他端は、前記グローブ本体の甲部の両側にそれぞれ縫着されることを特徴とする。
【０００８】
さらに請求項４記載の発明は、請求項１〜３の何れか記載の発明の構成に加えて、一方の前記弾性支持部材にサイドプロテクタが取付けられることを特徴とする。
【０００９】
さらに請求項５記載の発明は、請求項１〜４の何れか記載の発明の構成に加えて、親指以外の指に対応した前記指部プロテクタは、根元側プロテクタと先端側プロテクタとを備えていて、その先端側プロテクタが、前記グローブ本体の前記指部の先端側を覆ってその指部に縫着され、前記根元側プロテクタは、それの一端が前記グローブ本体の前記指部に縫着されると共に他端が前記甲部プロテクタに連結され、前記根元側プロテクタと前記先端側プロテクタとの間が、その相互間の接続位置を調節可能なファスナで接続されることを特徴とする。
【００１０】
さらに請求項６記載の発明は、請求項１〜５の何れか記載の発明の構成に加えて、前記指部プロテクタの長さ調節により、前記グローブ本体の指部の長さが調整可能であることを特徴とする。
【発明の効果】
【００１１】
請求項１記載の発明によれば、甲部プロテクタは、一対の弾性支持部材によってグローブ本体の甲部から浮いた状態でグローブ本体にフローティング支持されるので、使用者の手の甲が感じる甲部プロテクタの接触感を軽減でき、これにより、グローブ本体の握り操作および開き操作に与える抵抗を小さく抑えて、柔らかい握り操作が可能となる。また特に複数の指部プロテクタの長さを調節可能とすると共にその調節された長さを維持可能としたことにより、グローブ本体の指部の長さを使用者に応じて調整可能とするとともに使用状態に応じて指の曲げ角度を調節することができる。
【００１２】
また請求項２記載の発明によれば、甲部プロテクタと、グローブ本体の甲部との間に生じる隙間を空気が流通することを可能としたので、甲部プロテクタで覆われる部分でグローブ本体の甲部に複数の通気孔が設けられていることと相俟って、通気性を高めることができる。
【発明を実施するための最良の形態】
【００１３】
以下、本発明の実施の形態を、添付の図面に示した本発明の一実施例に基づいて説明する。
【００１４】
図１〜図４は本発明の一実施例を示すものであり、図１はスポーツ用手袋の平面図、図２は図１の２−２線断面図、図３は図１の３−３線断面図、図４は図１の４−４線断面図である。
【００１５】
先ず図１において、このスポーツ用手袋Ｇは、たとえば自動二輪車のライダー用の左手用のものであり、右手用のものと対に構成されており、左手用のスポーツ用手袋Ｇと、右手用のスポーツ用手袋は左右が逆となるだけで同一構造に構成されるので、以下には左手用のスポーツ用手袋Ｇについてのみ詳細に説明し、右手用のスポーツ用手袋についての説明は省略する。
【００１６】
前記スポーツ用手袋Ｇのグローブ本体５は、ライダーの手首までを覆うように構成されており、締めつけベルト６の一端部がグローブ本体５の手首部５ａに縫着され、該締めつけベルト６の一端部には巻きかけリング７が取付けられる。而して前記手首部５ａに巻きかけられるとともに前記巻きかけリング７に巻きかけて折り返された締めつけベルト６の他端部を、図示しない両面ファスナで前記締めつけベルト６の他端寄り中間部に着脱可能に接続することにより、グローブ本体５の手首部５ａが縮径され、使用者の装着状態が維持される。
【００１７】
図２および図３を併せて参照して、前記グローブ本体５の甲部５ｂは、たとえば硬質合成樹脂から成る甲部プロテクタ８で覆われるものであり、この甲部プロテクタ８の内面側には弾性材９が取付けられる。この弾性材９は、甲部プロテクタ８の内面に当接されており、該弾性材９を覆う保持布１０の外周部と、甲部プロテクタ８の外周部とが縁布１１で全周にわたって覆われ、甲部プロテクタ８の外周部、前記保持布１０の外周部および前記縁布１１が縫い付けられる。
【００１８】
前記甲部プロテクタ８の左右両側には、複数個たとえば２個ずつのリベット１２，１２…によって幅広の弾性支持部材であるゴムベルト１３，１３の一端が取付けられており、それらのゴムベルト１３…の他端部は、グローブ本体５の甲部５ｂと、前記甲部プロテクタ８との間に隙間１４が生じることを可能とするようにしてグローブ本体５の甲部５ｂの両側に縫着される。すなわち前記弾性材９が内面に取付けられる甲部プロテクタ８は、グローブ本体５の甲部５ｂとの間に隙間１４をあけることを可能として、前記甲部５ｂから浮いた状態でグローブ本体５にフローティング支持されることになる。
【００１９】
しかもグローブ本体５の甲部５ｂにおいて前記甲部プロテクタ８で覆われる部分には、前記隙間１４に通じる複数の通気孔１５，１５…が設けられる。また前記両ゴムベルト１３…のうち左側のゴムベルト１３の中間部には、硬質合成樹脂から成るサイドプロテクタ１６が一対のリベット１７，１７によって取付けられる。
【００２０】
またグローブ本体５は、親指から小指までに対応した第１〜第５指部５ｃ，５ｄ，５，５ｅ，５ｆ，５ｇまでの５本の指部を有するものであり、第１〜第５指部５ｃ〜５ｇは、長さを調節可能とするとともに、調節された長さを第１〜第５指部５ｃ〜５ｄの曲げ状態にかかわらず維持可能として構成される第１〜第５指部プロテクタ１８，１９，２０，２１，２２で覆われる。
【００２１】
第１〜第５指部プロテクタ１８〜２２のうち第２〜第５指部プロテクタ１９〜２２は、基本的には同一の構成を有するものであり、以下、中指に対応した第３指部５ｅを覆う第３指部プロテクタ２０について説明すると、第３指部プロテクタ２０は、第３指部５ｅの先端側を覆って第３指部５ｅに縫着される先端側プロテクタ２３と、甲部プロテクタ８に連結されて第３指部５ｅの根元側を覆う根元側プロテクタ２４と、先端側プロテクタ２３および根元側プロテクタ２４を連結する連結プロテクタ２５とを有する。
【００２２】
先端側プロテクタ２３は、グローブ本体５と同一材料により第３指部５ｅの先端側を覆うように形成されるものであり、甲部プロテクタ８側を開放する袋状となるようにして第３指部５ｅの先端側に縫着される。
【００２３】
また前記根元側プロテクタ２４は、グローブ本体５と同一材料たとえば軟質の革により第３指部５ｅの根元側を覆うように形成されるものであり、その根元側プロテクタ２４の一端側は第３指部５ｅに縫着され、根元側プロテクタ２４の他端は甲部プロテクタ８にリベット２６で連結される。
【００２４】
さらに連結プロテクタ２５は、甲部プロテクタ８と同様に硬質合成樹脂から成るものであり、第３指部５ｅの屈曲を容易とするために内方側を凹ませるように湾曲して形成される。この連結プロテクタ２５の一端部は先端側プロテクタ２３内に差し込まれ、リベット２７により先端側プロテクタ２３に連結される。また連結プロテクタ２５の他端部は第１面ファスナ２８によって前記根元側プロテクタ２４の一端部に着脱可能に接続される。
【００２５】
而して第１面ファスナ２８は、連結プロテクタ２５の内面に接着されるフック集合部２８ａと、前記根元側プロテクタ２４の一端側外面に接着されるループ集合部２８ｂとで構成されるものであり、このような第１面ファスナ２８によれば、前記連結プロテクタ２５の根元側プロテクタ２４への接続部を、ループ集合部２８ｂが設けられている範囲で任意に変化させることができ、それによって第３指部プロテクタ２０の長さを調節可能であるとともに、第３指部５ｅの曲げ状態にかかわらず調節された長さを維持可能である。
【００２６】
なお前記連結プロテクタ２５の他端には修飾用のリベット２９が設けられ、連結プロテクタ２５をつまみ易くしている。
【００２７】
第２、第４および第５指部プロテクタ１９，２１，２２は、上記第３指部プロテクタ２０と同様に構成されており、甲部プロテクタ８にリベット２６…でそれぞれ連結されるとともに、第２、第４および第５指部５ｄ，５ｆ，５ｇの全体を覆いつつ長さを調節可能であり、しかも調節された長さを第２、第４および第５指部５ｄ，５ｆ〜５ｇの曲げ状態にかかわらず維持可能である。
【００２８】
図４において、第１指部プロテクタ１８は、第１指部５ｃの先端側を覆って第１指部５ｃに縫着される先端側プロテクタ３０と、第１指部５ｃの根元側を覆う根元側プロテクタ３１とを有し、先端側プロテクタ３０は、グローブ本体５と同一材料により第１指部５ｃの先端側を覆うように形成され、根元側プロテクタ３１側を開放する袋状となるようにして第１指部５ｃの先端側に縫着される。
【００２９】
また根元側プロテクタ３１は、甲部プロテクタ８と同一材料から成るものであり、第１指部５ｃの屈曲を容易とするために内方側を凹ませるように湾曲しつつ第１指部５ｃの根元側を覆うように形成される。しかも該根元側プロテクタ３１の一端部は前記先端側プロテクタ３０内に差し込まれ、リベット３２により先端側プロテクタ３０に連結される。また根元側プロテクタ３１の他端部は第２面ファスナ３３によって第１指部５ｃの根元部に着脱可能に接続される。
【００３０】
第２面ファスナ３３は、根元側プロテクタ３１の内面に接着されるフック集合部３３ａと、第１指部５ｃの根元側外面に接着されるループ集合部３３ｂとで構成されるものであり、このような第２面ファスナ３３によれば、第１指部５ｃの根元部への根元側プロテクタ３１の接続部を、ループ集合部３３ｂが設けられている範囲で任意に変化させることができ、それにより第１指部プロテクタ１８の長さを調節可能である。
【００３１】
なお前記根元側プロテクタ３１の他端には、該根元側プロテクタ３１をつまみ易くするための修飾用のリベット３４が設けられる。
【００３２】
次にこの実施例の作用について説明すると、甲部プロテクタ８は、一対のゴムベルト１３，１３によって前記甲部５ｂから浮いた状態でグローブ本体５にフローティング支持されるので、剛性を有する甲部プロテクタ８によって使用者の手の甲が感じる接触感を軽減し、グローブ本体５の握り操作および開き操作に与える抵抗を小さく抑えて、柔らかい握り操作が可能となる。
【００３３】
また甲部プロテクタ８に一端が取付けられるゴムベルト１３，１３の他端は、グローブ本体５の甲部５ｂと、前記甲部プロテクタ８との間に隙間１４が生じることを可能とするようにしてグローブ本体５の甲部５ｂの両側に縫着されるので、図２および図３の矢印で示すように、前記隙間１４を空気が流通することを可能となり、甲部プロテクタ８で覆われる部分でグローブ本体５の甲部５ｂに複数の通気孔１５，１５…が設けられていることと相まって、通気性を高めることができる。
【００３４】
さらにグローブ本体５に設けられている第１〜第５指部５ｃ〜５ｇを覆う第１〜第５指部プロテクタ１８〜２２が、それらの長さを調節可能とするとともに、調節された長さを第１〜第５指部５ｃ〜５ｇの曲げ状態にかかわらず維持可能として構成されているので、グローブ本体５の指部５ｃ〜５ｇの長さを使用者に応じて調整可能とするとともに使用状態に応じて指の曲げ角度を調節することができる。
【００３５】
しかも第１指部プロテクタ１８の屈曲部分には硬質材料から成る根元側プロテクタ３１が配置され、第２〜第５指部プロテクタ１９〜２２の屈曲部分には硬質材料から成る連結プロテクタ２５…が配置されるのであるが、長さを調節可能とするとともに、調節された長さを第１〜第５指部５ｃ〜５ｇの曲げ状態にかかわらず維持可能とした第１〜第５指部プロテクタ１９〜２２によって、指部５ｃ〜５ｇの曲げ操作性を柔らかくすることができる。
【００３６】
以上、本発明の実施例を説明したが、本発明は上記実施例に限定されるものではなく、特許請求の範囲に記載された本発明を逸脱することなく種々の設計変更を行うことが可能である。
【００３７】
たとえば本発明は、自動二輪車のライダー用のスポーツ用手袋に限定されるものではなく、スキー等のスポーツ用手袋に広く適用可能である。
【図面の簡単な説明】
【００３８】
【図１】スポーツ用手袋の平面図である。
【図２】図１の２−２線断面図である。
【図３】図１の３−３線断面図である。
【図４】図１の４−４線断面図である。
【符号の説明】
【００３９】
５・・・・グローブ本体
５ｂ・・・甲部
５ｃ〜５ｇ・・・指部
８・・・・甲部プロテクタ
１３・・・弾性支持部材であるゴムベルト
１４・・・隙間
１５・・・通気孔
１６・・・サイドプロテクタ
１８〜２２・・・指部プロテクタ
２４・・・根元側プロテクタ
２３・・・先端側プロテクタ
Ｇ・・・・スポーツ用手袋
【図１】
0004810266.tif 000002
【図２】
0004810266.tif 000003
【図３】
0004810266.tif 000004
【図４】
0004810266.tif 000005